(57)【要約】【課題】部品交換することなく、中間の分割用紙の用紙搬送幅方向の寸法が調整できる、用紙スリッタ及びこれを備えた用紙加工装置を提供する。【解決手段】  用紙搬送方向に沿って用紙を裁断する一対の第１回転刃(51a、51b)及び該第１回転刃(51a、51b)を回転自在に支持する第１刃保持体(41a、41b)を有する第１裁断ユニット(41)と、用紙搬送方向に沿って用紙を裁断する一対の第２回転刃(52a、52b)及び該第２回転刃(52a、52b)を回転自在に支持する第２刃保持体(42a、42b)を有する第２裁断ユニット(42)と、前記第１刃裁断ユニット(41)を用紙搬送幅方向に移動させる親ねじ(28)等の移動機構と、前記第１回転刃(51a、51b)と前記第２回転刃(52a、52b)との用紙搬送幅方向の間隔を増減するように、前記第２刃保持体(42a、42b)を前記第１刃保持体(41a、41b)に対して用紙搬送幅方向に近接離間移動可能に連結する間隔調整機構(55)とを備えている。【選択図】図５
2015120213.tif 000002
【特許請求の範囲】
【請求項１】
用紙搬送方向に沿って用紙を裁断する一対の第１回転刃及び該第１回転刃を回転自在に支持する第１刃保持体を有する第１裁断ユニットと、
用紙搬送方向に沿って用紙を裁断する一対の第２回転刃及び該第２回転刃を回転自在に支持する第２刃保持体を有する第２裁断ユニットと、
前記第１裁断ユニットを用紙搬送幅方向に移動させる移動機構と、
前記第１回転刃と前記第２回転刃との用紙搬送幅方向の間隔を増減するように、前記第２刃保持体を前記第１刃保持体に対して用紙搬送幅方向に近接離間移動可能に連結する間隔調整機構と、を備えていることを特徴とする用紙スリッタ。
【請求項２】
請求項１記載の用紙スリッタにおいて、
前記第２回転刃によって複数枚に分割された分割用紙のうち、前記第１回転刃から用紙搬送幅方向の遠い側に位置する分割用紙を下方から支持する支持ガイド部を、前記第２刃保持体に設けている、用紙スリッタ。
【請求項３】
用紙搬送方向に沿って用紙を裁断する一対の第１回転刃と、
用紙搬送方向に沿って用紙を裁断する一対の第２回転刃と、
前記第１回転刃及び前記第２回転刃を回転自在に支持すると共に用紙搬送幅方向に移動自在な刃保持体と、
前記第２回転刃を、前記第１回転刃に対して用紙用紙幅方向に近接離間可能に移動する間隔調整機構と、を備えている、用紙スリッタ。
【請求項４】
用紙搬送幅方向に一定長さを有する円筒状の共通回転刃受けと、
前記共通回転刃受けの外周面に当接して、用紙搬送方向に沿って用紙を裁断する第１回転刃と、
前記共通回転刃受けの外周面に当接して、用紙搬送方向に沿って用紙を裁断する第２回転刃と、
前記第１回転刃及び前記第２回転刃を回転自在に支持すると共に用紙搬送幅方向に移動自在な刃保持体と、
前記共通回転刃受けを回転自在に支持すると共に用紙搬送幅方向に移動自在な刃受保持体と、
前記第２回転刃を、前記第１回転刃に対して用紙搬送幅方向に近接離間可能に移動する間隔調整機構と、を備えている、用紙スリッタ。
【請求項５】
請求項１乃至４のいずれか一つに記載の用紙スリッタにおいて、
前記第１回転刃による裁断位置よりも用紙搬送幅方向における第２回転刃側、かつ、前記第１回転刃による裁断位置よりも用紙搬送方向の下流側に、裁断後の分割用紙を下方に排出する第１排出ガイドを設けている、用紙スリッタ。
【請求項６】
請求項５に記載の用紙スリッタにおいて、
前記第１排出ガイドを、前記分割用紙に当接して下方にガイドするガイド位置と、前記分割用紙に当接しない非ガイド位置との間で変位させる第１位置切換機構を備えている、用紙スリッタ。
【請求項７】
請求項１乃至６のいずれか一つに記載の用紙スリッタにおいて、
前記第２回転刃による裁断位置よりも用紙搬送幅方向における第１回転刃側、かつ、前記第２回転刃による裁断位置よりも用紙搬送方向の下流側に、裁断後の分割用紙を下方に排出する第２排出ガイドを設け、
該第２排出ガイドは、前記第２回転刃と共に、前記第１回転刃に対して用紙搬送幅方向に移動可能となっている、用紙スリッタ。
【請求項８】
請求項７に記載の用紙スリッタにおいて、
前記第２排出ガイドを、前記分割用紙に当接して下方にガイドするガイド位置と、前記分割用紙に当接しない非ガイド位置との間で変位させる第２位置切換機構を備えている、用紙スリッタ。
【請求項９】
請求項８に記載の用紙スリッタにおいて、
前記第２回転刃を、用紙を裁断する当接位置と、用紙を裁断しない離間位置との間で変位させる接離機構を備え、
前記第２位置切換機構は、前記接離機構による第２回転刃の変位に連動して、第２排出ガイドを変位させる、用紙スリッタ。
【請求項１０】
請求項１乃至９のいずれか一つに記載の用紙スリッタを備えた用紙加工装置において、
前記用紙スリッタは、前記第１回転刃及び前記第２回転刃が用紙に当接する用紙搬送幅方向の使用領域と、用紙側端縁から用紙搬送幅方向の外方に位置する退避位置と、の間で用紙搬送幅方向に移動可能となっている、用紙加工装置。
【請求項１１】
請求項１０に記載の用紙スリッタを備えた用紙加工装置において、
前記第１回転刃が前記第２回転刃よりも用紙搬送幅方向において前記退避位置側に位置している、用紙加工装置。
【請求項１２】
請求項１０又は１１に記載の用紙加工装置において、
前記第１回転刃と前記第２回転刃との用紙搬送幅方向間の中間分割用紙幅を検出する中間分割用紙幅検出部と、
前記中間分割用紙幅検出部で検出した中間分割用紙幅を表示する表示部と、を備えている、用紙加工装置。
【請求項１３】
請求項１０又は１１に記載の用紙加工装置において、
前記第１回転刃と前記第２回転刃との用紙幅方向の間の中間分割用紙幅を入力する入力部と、
前記入力された中間分割用紙幅を表示する表示部と、を備えている、用紙加工装置。
【請求項１４】
請求項１２又は１３に記載の用紙加工装置において、
前記表示部は、前記用紙スリッタに配置されている、用紙加工装置。
【請求項１５】
請求項１２又は１３に記載の用紙加工装置において、
前記表示部は、前記用紙加工装置の操作パネルに配置されている、用紙加工装置。
【請求項１６】
請求項１０乃至１５のいずれか一つに記載の用紙加工装置において、
複数の前記用紙スリッタを、それぞれ用紙搬送幅方向に移動可能に並設し、
前記各用紙スリッタを用紙幅方向に移動させる移動機構と、
前記各用紙スリッタの移動を制御する制御部とを備え、
前記制御部は、隣り合う前記用紙スリッタの用紙搬送幅方向の幅が、予め設定された最小間隔以上となるように、各用紙スリッタの移動を制御する、用紙加工装置。
【請求項１７】
請求項１乃至３のいずれか一つに記載の用紙スリッタを備えた用紙加工装置において、
前記用紙スリッタは、前記第１回転刃及び前記第２回転刃が用紙に当接する用紙搬送幅方向の使用領域と、用紙側端縁から用紙搬送幅方向の外方に位置する退避位置と、の間で用紙搬送幅方向に移動可能となっており、
前記用紙スリッタは、一対の前記第１回転刃同士及び一対の前記第２回転刃同士をそれぞれ裁断作用不能に離脱させる裁断解除機構を備え、
用紙搬送幅方向の前記退避位置近傍には、前記用紙スリッタが前記退避位置に移動した時に前記裁断解除機構の被作用部に当接して各一対の前記回転刃をそれぞれ裁断解除状態にする、解除作用部が設けられている、用紙加工装置。
【請求項１８】
請求項１０乃至１７のいずれか一つに記載の用紙加工装置の制御方法において、
前記第１回転刃と前記第２回転刃との間で生じる中間分割用紙の幅を設定する際に、
前記退避位置における前記第１回転刃の用紙幅方向の位置を基準位置とし、
最初に、前記基準位置に対する第１回転刃の用紙幅方向の位置を決定し、
次に、前記決定された第１回転刃の裁断位置に対する第２回転刃の裁断位置を決定することを特徴とする、用紙加工装置の制御方法。
【発明の詳細な説明】
【技術分野】
【０００１】
本発明は、回転刃により、用紙搬送方向に沿って用紙を裁断する用紙スリッタ及びこれを備えた用紙加工装置に関し、特に、用紙搬送幅方向に間隔おいて配置された複数の回転刃により、同時に２箇所以上を切断できる用紙スリッタ及びこれを備えた用紙加工装置並びにその制御方法に関する。
【背景技術】
【０００２】
上記用紙スリッタが開示された先行技術文献として、特許文献１及び２がある。特許文献１に記載された用紙スリッタは、中間用ヘッドが、円柱状の一つの上刃と、該上刃の軸方向両側にそれぞれ当接する左右一対のディスク状の下刃とから構成されている。上刃の軸方向両端と、各下刃とで、用紙を用紙搬送方向に裁断することにより、上刃の幅に相当する不要な中間シートと、その両側の一対の製品となる側方シートに分割する。
【０００３】
特許文献２は、本件出願人による先願であり、上下一対の回転刃対からなる二個の裁断用カッタを、用紙搬送幅方向に間隔を置いて配置しており、各裁断用カッタは、スリッタ本体に対して、個々独立して用紙搬送幅方向に移動調節可能となっている。すなわち、各裁断用カッタの回転刃対の搬送幅方向の位置をそれぞれ独立に移動調節することにより、搬送幅方向中間の不要な分割用紙（切除片）と、その両側の製品となる分割用紙とに、分割する。
【先行技術文献】
【特許文献】
【０００４】
【特許文献１】特開２０１３−１４４３２２号公報
【特許文献２】特開２００５−２３９３０７号公報
【発明の概要】
【発明が解決しようとする課題】
【０００５】
特許文献１の用紙スリッタでは、切り落とされる不要な中間シートの用紙搬送幅方向の寸法は、上刃の用紙搬送幅方向の寸法により決まる。そのため、切除する中間シートの用紙搬送幅方向の寸法を変更したい場合には、上刃の用紙搬送幅方向の寸法が異なる別の中間用ヘッドに交換しなければならず、部品交換作業に手間がかかる。また、上刃の用紙搬送幅方向の寸法が異なる複数の中間用ヘッドを所有し、管理する必要があるため、交換部品の保管スペースが必要となり、部品の維持管理も面倒である。
【０００６】
特許文献２では、所定の用紙搬送幅方向の間隔で、用紙搬送幅方向の裁断位置を変更する場合には、上下一対の回転刃からなる２つの裁断用カッタを、個々独立して用紙搬送幅方向に移動させる必要があり、前記所定の間隔に微小なズレが生じる恐れがあり、高い裁断位位置精度を維持することが困難である。
【０００７】
本発明の目的は、部品交換することなく、かつ、交換部品の保管スペースを必要とすることなく、中間の分割用紙の用紙搬送幅方向の寸法が調整可能であり、かつ高精度に裁断可能な用紙スリッタ及びこれを備えた用紙加工装置ならびにその制御方法を提供することである。
【課題を解決するための手段】
【０００８】
上記課題を解決するため、本願の第１の発明に係る用紙スリッタは、用紙搬送方向に沿って用紙を裁断する一対の第１回転刃及び該第１回転刃を回転自在に支持する第１刃保持体を有する第１裁断ユニットと、用紙搬送方向に沿って用紙を裁断する一対の第２回転刃及び該第２回転刃を回転自在に支持する第２刃保持体を有する第２裁断ユニットと、前記第１裁断ユニットを用紙搬送幅方向に移動させる移動機構と、前記第１回転刃と前記第２回転刃との用紙搬送幅方向の間隔を増減するように、前記第２刃保持体を前記第１刃保持体に対して用紙搬送幅方向に近接離間移動可能に連結する間隔調整機構と、を備えている。
【０００９】
本願の第２の発明に係る用紙スリッタは、用紙搬送方向に沿って用紙を裁断する一対の第１回転刃と、用紙搬送方向に沿って用紙を裁断する一対の第２回転刃と、前記第１回転刃及び前記第２回転刃を回転自在に支持すると共に用紙搬送幅方向に移動自在な刃保持体と、前記第２回転刃を、前記第１回転刃に対して用紙幅方向に近接離間可能に移動する間隔調整機構と、を備えている。
【００１０】
本願の第３の発明に係る用紙スリッタは、用紙搬送幅方向に一定長さを有する円筒状の共通回転刃受けと、前記共通回転刃受けの外周面に当接して、用紙搬送方向に沿って用紙を裁断する第１回転刃と、前記共通回転刃受けの外周面に当接して、用紙搬送方向に沿って用紙を裁断する第２回転刃と、前記第１回転刃及び前記第２回転刃を回転自在に支持すると共に用紙搬送幅方向に移動自在な刃保持体と、前記共通回転刃受けを回転自在に支持すると共に用紙搬送幅方向に移動自在な刃受保持体と、前記第２回転刃を、前記第１回転刃に対して用紙搬送幅方向に近接離間可能に移動する間隔調整機構と、を備えている。
【００１１】
本発明は、上記の各発明の用紙スリッタにおいて、好ましくは次の各構成を備えることができる。
【００１２】
（ａ）第１の発明において、前記第２回転刃によって複数枚に分割された分割用紙のうち、前記第１回転刃から用紙搬送幅方向の遠い側に位置する分割用紙を下方から支持する支持ガイド部を、前記第２刃保持体に設けている。
【００１３】
（ｂ）第１乃至第３の各発明において、前記第１回転刃による裁断位置よりも搬送幅方向における第２回転刃側、かつ、前記第１回転刃による裁断位置よりも用紙搬送方向の下流側に、裁断後の分割用紙を下方に排出する第１排出ガイドを設けている。この場合、さらに好ましくは、前記第１排出ガイドを、前記分割用紙に当接して下方にガイドするガイド位置と、前記分割用紙に当接しない非ガイド位置との間で変位させる第１位置切換機構を備えている。
【００１４】
（ｃ）第１乃至第３の各発明において、前記第２回転刃による裁断位置よりも搬送幅方向における第１回転刃側、かつ、前記第２回転刃による裁断位置よりも用紙搬送方向の下流側に、裁断後の分割用紙を下方に排出する第２排出ガイドを設け、該第２排出ガイドは、前記第２回転刃と共に、前記第１回転刃に対して用紙搬送幅方向に移動可能となっている。この場合、前記第２排出ガイドを、前記分割用紙に当接して下方にガイドするガイド位置と、前記分割用紙に当接しない非ガイド位置との間で変位させる第２位置切換機構を備えることができる。さらに、好ましくは、前記第２回転刃を、用紙を裁断する当接位置と、用紙を裁断しない離間位置との間で変位させる接離機構を備え、前記第２位置切換機構は、前記接離機構による第２回転刃の変位に連動して、第２排出ガイドを変位させる。
【００１５】
本願は、上記各用紙スリッタを備えた用紙加工装置も提供するものであり、該用紙加工装置において、前記用紙スリッタは、前記第１回転刃及び前記第２回転刃が用紙に当接する用紙幅方向の使用領域と、用紙側端縁から用紙搬送幅方向の外方に位置する退避位置と、の間で用紙搬送幅方向に移動可能となっている。
【００１６】
上記用紙加工装置において、好ましくは、次の構成を備えることがきる。
【００１７】
（ｄ）前記第１回転刃が前記第２回転刃よりも用紙搬送幅方向において前記退避位置側に位置している。
【００１８】
（ｅ）前記第１回転刃と前記第２回転刃との用紙幅方向の間の中間分割用紙幅を検出する中間分割用紙幅検出部と、前記中間分割用紙幅検出部で検出した中間分割用紙幅を表示する表示部と、を備えている。
【００１９】
（ｆ）前記第１回転刃と前記第２回転刃との用紙幅方向の間の中間分割用紙幅を入力する入力部と、前記入力された中間分割用紙幅を表示する表示部と、を備えている。
【００２０】
（ｇ）前記表示部は、前記用紙スリッタに配置されている。
【００２１】
（ｈ）前記表示部は、前記用紙加工装置の操作パネルに配置されている。
【００２２】
（ｉ）複数の前記用紙スリッタを、それぞれ用紙搬送幅方向に移動可能に並設し、前記各スリッタを用紙幅方向に移動させる移動機構と、前記各スリッタの移動を制御する制御部とを備え、前記制御部は、隣り合う前記用紙スリッタの用紙幅方向の幅が、予め設定された最小間隔以上となるように、各用紙スリッタの移動を制御する。
【００２３】
（ｊ）一対の第１回転刃及び一対の第２回転刃を有する前記用紙スリッタは、前記一対の第１回転刃同士及び前記一対の第２回転刃同士をそれぞれ裁断作用不能に離脱させる裁断解除機構を備え、用紙搬送幅方向の前記退避位置近傍には、前記用紙スリッタが前記退避位置に移動した時に前記裁断解除機構の被作用部に当接して各一対の回転刃をそれぞれ裁断解除状態にする、解除作用部が設けられている。
【００２４】
本願は、さらに用紙加工装置の制御方法をも提供するものであり、上記用紙加工装置の制御方法において、前記第１回転刃と前記第２回転刃との間で生じる中間分割用紙の幅を設定する際に、前記退避位置における前記第１回転刃の用紙幅方向の位置を基準位置とし、最初に、前記基準位置に対する第１回転刃の用紙幅方向の位置を決定し、次に、前記決定された第１回転刃の裁断位置に対する第２回転刃の裁断位置を決定することを特徴とする。
【発明の効果】
【００２５】
（１）前記第１乃至第３の発明に係る用紙スリッタによると、用紙を、不要な中間分割用紙（切除片）と、その両側の製品としての分割用紙とに分割する場合に、中間分割用紙の用紙搬送幅方向の寸法を、第２回転刃の位置調整だけで簡単かつ精度良く設定できる。しかも、中間分割用紙の幅を変更する場合に、寸法の異なる回転刃用部品に交換する必要がないので、部品点数が削減できると共に、交換部品の保管スペースが必要なく、交換用部品の維持管理も不要となる。
【００２６】
（２）前記用紙加工装置及びその制御方法の発明においても、上記用紙スリッタと同様の効果を奏する。また、中間分割用紙の幅を変更せずに、用紙の裁断位置のみが幅方向に異なる場合に、スリッタを幅方向に移動させるだけでよく、第１回転刃と第２回転刃との間隔にずれが生じない。さらに、用紙スリッタを使用しない場合には、用紙スリッタ全体を退避位置に移動するだけで、簡単に非使用状態に設定できる。
【００２７】
（３）前記第１の発明の構成（ａ）によると、第２回転刃を第１回転刃に対して用紙搬送幅方向に移動調整しても、第２回転刃によって分割された製品用分割用紙は、支持ガイド部により、常に、円滑に、次工程に送り出すことができる。
【００２８】
（４）前記構成（ｂ）によると、第１回転刃と第２回転刃との間で生じる不要な中間分割用紙は、裁断直後に、第１排出ガイドにより、速やかに下方に排出される。また、第１排出ガイドを、ガイド位置と非ガイド位置との間で変位可能とすることにより、不要な中間分割用紙が生じる場合だけ、ガイド位置に位置させて、不要な中間分割用紙を排出ガイドすることができる。
【００２９】
（５）前記構成（ｃ）によると、第２排出ガイドを利用することにより、上記構成（ｂ）における効果と同様の効果を奏する。さらに、接離機構により、第２回転刃を、用紙を裁断しない離間位置に変位させることにより、従来の一対の回転刃のみを備えている用紙スリッタと同様の裁断も可能となる。
【００３０】
（６）前記構成（ｄ）によると、退避位置を用紙スリッタ全体の用紙搬送幅方向のホームポジションとした場合に、第１回転刃が、第２回転刃よりもホームポジションに近い側に配置されることになるので、ホームポジションの第１回転刃の位置を基準として、用紙スリッタによる裁断位置が設定され、かつ、中間分割用紙の幅は、固定側の第１回転刃が基準となり、正確に中間分割用紙の幅及び裁断位置を設定できる。制御方法の発明においても、同様の効果を期待できる。
【００３１】
（７）前記構成（ｅ）乃至（ｈ）によると、作業者は、中間分割用紙の用紙搬送幅方向の設定寸法を、表示部により容易に確認することができる。
【００３２】
（８）前記構成（ｉ）によると、一つスリット加工ユニットに複数の用紙スリッタを備えている構造において、用紙スリッタの位置調節中に、両用紙スリッタが衝突するのを防ぐことができる。
【００３３】
（９）前記構成（ｊ）によると、用紙スリッタを、使用しない退避位置に移動した時に、自動的に、回転刃同士が離間するので、保管中における回転刃の劣化を防ぐことができる。
【図面の簡単な説明】
【００３４】
【図１】本発明に係る用紙スリッタを備えた用紙加工装置の概略斜視図である。
【図２】図１の用紙加工装置の簡略縦断面図である。
【図３】第１の実施の形態に係る用紙スリッタを有するスリット加工ユニットの斜視図である。
【図４】図３の用紙スリッタの斜視図である。
【図５】図３の用紙スリッタの回転刃間の間隔を狭めた状態の正面略図である。
【図６】図３の用紙スリッタの回転刃間の間隔を広げた状態の正面略図である。
【図７】図３の用紙スリッタの正面図である。
【図８】図７のVIII−VIII断面図である。
【図９】図７のIX−IX断面図である。
【図１０】第１の実施の形態の変形例を示す用紙スリッタの正面略図である。
【図１１】排出ガイドの変形例を示す側面略図である。
【図１２】図１１の排出ガイドの非ガイド位置の状態を示す側面略図である。
【図１３】用紙の裁断パターンの一例を示す平面図である。
【図１４】用紙の裁断パターンの別の例を示す平面図である。
【図１５】図１３の裁断パターンで裁断している状態の用紙スリッタの簡略斜視図  ある。
【図１６】図１４の裁断パターンで裁断している状態の用紙スリッタの簡略斜視図  ある。
【図１７】本発明の第２の実施の形態に係る用紙スリッタであって、回転刃間の間隔を狭めた状態の正面略図である。
【図１８】図１７の用紙スリッタの回転刃間の間隔を広げた状態の正面略図である。
【図１９】本発明の第３の実施の形態に係る用紙スリッタであって、回転刃間の間隔を狭めた状態の正面略図である。
【図２０】図１９の用紙スリッタの回転刃間の間隔を広げた状態の正面略図である。
【図２１】図１９の用紙スリッタの上半部の側面略図である。
【図２２】本発明の第３の実施の形態の変形例であり、回転刃間の間隔を狭めた状態の用紙スリッタの正面略図である。
【図２３】図２２の用紙スリッタの回転刃間の間隔を広げた状態の正面略図である。
【図２４】本発明の第４の実施の形態に係る用紙スリッタの正面略図である。
【図２５】図２４の用紙スリッタの縦断側面略図である。
【図２６】第２排出ガイドの変形例を示す側面略図である。
【図２７】図２６の排出ガイドの非ガイド位置の状態を示す側面略図である。
【図２８】第２排出ガイド及び接続機構の変形例を示す用紙スリッタの要部の斜視図である。
【発明を実施するための形態】
【００３５】
［第１の実施の形態］
図１乃至図１６に基づいて、本発明の第１の実施の形態に係る用紙スリッタ及び用紙加工装置を説明する。説明の都合上、装置の用紙搬送方向Ｘ１の上流側を、装置及び各部品の後側とし、装置を用紙搬送方向Ｘ１に見た時の左右方向（用紙搬送幅方向Ｗ）を、装置及び各部品の左右方向として説明する。図１において、用紙加工装置は、装置本体１の用紙搬送方向Ｘ１の上流端部（後端部）に給紙部２を備え、用紙搬送方向Ｘ１の下流端部（前端部）に排紙部３を備え、給紙部２と排紙部３との間には、各種用紙加工機構を内蔵する複数の加工ユニット１１、１２、１３、１４、１５、１６が、用紙搬送方向Ｘ１に沿って並設されている。
【００３６】
装置本体１の上端面には、透明な一対の上蓋５が開閉自在に設けられており、この上蓋５を開くことにより、各加工ユニット１１、１２、１３、１４、１５、１６を上方から装置本体１内に装着できるようになっている。なお、仮想線で示す加工ユニット１４は、装置本体１内から上方に取り出した状態を示している。給紙部２の上面の操作側には、操作キー及び表示部を有する操作パネル７が設けられている。
【００３７】
図２は、用紙加工装置の簡略縱断面図であり、各加工ユニットとして、給紙部２側から順に、用紙を用紙搬送方向Ｘ１に沿って裁断する複数のスリット加工ユニット１１、１２、１３、１４と、用紙搬送幅方向Ｗに折り目を形成する折り加工ユニット１５と、用紙搬送幅方向Ｗに用紙を裁断する裁断加工ユニット１６とが納められている。各加工ユニット１１乃至１６はそれぞれ駆動モータＭに接続されており、各駆動モータＭは制御部１７に電気的に接続され、制御部１７は前記操作パネル７に電気的に接続されている。また、各加工ユニット１１乃至１６間並びに装置本体１の前後端部には、用紙を搬送する搬送ローラ対１８がそれぞれ配置されており、搬送ローラ対１８は駆動モータＭに接続されている。
【００３８】
図３は、左右一対の用紙スリッタ２２を備えたスリット加工ユニット１４の斜視図であり、該スリット加工ユニット１４は、下開きコの字状の支持枠体２１を備えており、該支持枠体２１は、左右一対の側壁板２１ａと、両側壁板２１ａの上端同士を連結する頂壁板２１ｂと、両側壁板２１ａを連結する連結部材２１ｃと、を有している。両側壁板２１ａ間には、用紙スリッタ支持用の上下のガイドロッド（上側のみ図示）２５と、回転刃駆動用の刃駆動軸２６と、スリッタ移動用の前後２本の親ねじ（後側のみ図示）２８と、排出ローラ駆動用のローラ駆動軸（端部のみ図示）２９等が、互いに平行に架設されている。ガイドロッド２５は両側壁板２１ａに固定されており、刃駆動軸２６、ローラ駆動軸２９及び親ねじ２８は、両側壁板２１ａに軸受を介して回転自在に支持されている。刃駆動軸２６は、左右の一方（たとえば左方）の側壁板２１ａに配置された一対のギヤ３１を介して、駆動モータＭ（図２）に連動連結されており、排出ローラ駆動用のローラ駆動軸２９は、刃駆動軸２６に、ギヤ３２、３３、３４を介して連動連結されている。頂壁板２１ｂには、左右一対の把手３５が設けられており、スリット加工ユニット１４の着脱作業時に利用される。
【００３９】
左右の用紙スリッタ２２は、前後の親ねじ２８に個々に連結されていること以外は、左右対称で、同様な構造を有してしている。したがって、右側の用紙スリッタ２２の構造のみを詳細に説明し、左側の用紙スリッタ２２の詳しい説明は省略する。
【００４０】
［用紙スリッタ２２の構成］
図５は右側の用紙スリッタ２２を、用紙搬送方向Ｘ１の上流側（後方側）から見た正面略図であり、用紙スリッタ２２は、上下の第１刃保持体４１ａ、４１ｂと、上下の第２刃保持体４２ａ、４２ｂと、上側第１刃保持体４１ａに回転自在に支持された上側第１回転刃５１ａと、上側第２刃保持体４２ａに回転自在に支持されて前記上側第１回転刃５１ａに左方から対向する上側第２回転刃５２ａと、下側第１保持体４１ｂに回転自在に支持された下側第１回転刃５１ｂと、下側第２刃保持体４２ｂに回転自在に支持されて前記下側第１回転刃５１ｂに左方から対向する下側第２回転刃５２ｂと、下側第１刃保持体４１ｂに回転自在に支持された一対の排出ローラ３６、３７（図８及び図９参照）と、を備えている。
【００４１】
上下の第１刃保持体４１ａ、４１ｂは、上下の第１回転刃５１ａ、５１ｂよりも前側（搬送方向下流側）で階段状（Ｚ形状）の第１連結板（破線で示す）４３により互いに結合されており、上側第１刃保持体４１ａは、上側ガイドロッド２５に左右方向（用紙搬送幅方向）Ｗに移動自在に嵌合支持され、下側第１刃保持体４１ｂは、下側ガイドロッド２５に左右方向Ｗに移動自在に嵌合支持されている。これら上下の第１刃保持体４１ａ、４１ｂと上下の第１回転刃５１ａ、５１ｂにより、第１裁断ユニット４１を構成している。
【００４２】
上側第１刃保持体４１ａの上面には、スリッタ移動用の移動ナット４８が設けられており、この移動ナット４８は、前記親ねじ２８に螺合し、これら移動ナット４８と親ねじ２８とで、用紙スリッタ２２の移動機構を構成している。親ねじ２８の軸方向端部に設けられたギヤ３０（図５）を前記駆動モータＭで回転すると、ねじ送り作用によって、上下の第１刃保持体４１ａ、４１ｂを含む第１裁断ユニット４１は、左右方向Ｗに移動する。
【００４３】
上側第１回転刃５１ａのボス部５１ｃは、上側第１刃保持体４１ａに対して、軸方向移動不能、かつ、軸受を介して回転自在に支持されている。
【００４４】
下側の第１刃保持体４１ｂは、下側のガイドロッド２５に嵌合する本体部分６０と、該本体部分６０の右端部から上方に突出する右支持プレート６１と、該右支持プレート６１の下部から左方に突出するブラケット６２と、該ブラケット６２の左端から上方に延びる左支持プレート６３とを、一体的に備えている。左右の支持プレート６３、６１の上部間には、左右方向Ｗに延びる第１支軸５８が固着されており、この第１支軸５８に、下側第１回転刃５１ｂが回転自在、かつ軸方向（左右方向）に移動可能に支持されている。該下側第１回転刃５１ｂは、第１コイルばね６４により、左側（下側第２回転刃５２ｂ側）に付勢されており、これにより、下側第１回転刃５１ｂの上端部が、上側第１回転刃５１ａの下端部に、右方から一定の圧力で当接している。なお、図示しないが、コイルばね６４の左端と下側第１回転刃５１ｂの右端面とは、下側第１回転刃５１ｂの回転を妨げないように、下側第１回転刃５１ｂの内周の軸受のインナレースに当接している。
【００４５】
上下の第２刃保持体４２ａ、４２ｂは、上下の第２回転刃５２ａ、５２ｂよりも前側（搬送方向下流側）でコの字状の第２連結板（破線で示す）４４により互いに結合されており、これら上下の第２刃保持体４２ａ、４２ｂと、上下の第２回転刃５２ａ、５２ｂにより、第２裁断ユニット４２を構成している。  
【００４６】
上側第２刃保持体４２ａは、アジャストボルト５６を有する間隔調整機構５５により、上側第１刃保持体４１ａに対し、左右方向Ｗに移動調節可能に連結されている。アジャストボルト５６は、上側第１刃保持体４１ａに回転自在かつ左右方向移動不能に支持され、アジャストボルト５６の左端部分が上側第２刃保持体４２ａのめねじ孔５６ｂに螺合している。すなわち、アジャストボルト５６の右端に設けられたつまみ５６ａを把持して、回転することにより、上側第２刃保持体４２ａ（第２裁断ユニット４２）を、上側第１刃保持体４１ａ（第１裁断ユニット４１）に対して左右方向Ｗに移動し、左右の上側回転刃５１ａ、５２ａの左右方向Ｗの間隔を調整する。上側第２回転刃５２ａのボス部５２ｃは上側第２刃保持体４２ａに対して、軸方向移動不能、かつ軸受を介して回転自在に支持されている。
【００４７】
下側第２刃保持体４２ｂは、左支持プレート７１と、該左支持プレート７１の下部から右方に突出するブラケット７２と、該ブラケット７２の右端から上方に延びる右支持プレート７３とを、一体的に備えている。左右の支持プレート７１、７３の上部間に、左右方向に延びる第２支軸５９が固着されており、該第２支軸５９に、下側第２回転刃５２ｂが回転自在、かつ、軸方向移動可能に支持されている。下側第２回転刃５２ｂは、第２コイルばね７４により、右側（下側第１回転刃５１ｂ側）に付勢されており、これにより、下側第２回転刃５２ｂの上端部は、上側第２回転刃５２ａの下端部に、一定の圧力で左方から当接している。なお、図示しないが、コイルばね７４の右端と下側第２回転刃５２ｂの左端面とは、下側第２回転刃５２ｂの回転を妨げないように、下側第２回転刃５２ｂの内周の軸受のインナレースに当接している。
【００４８】
下側第２刃保持体４２ｂの左下端部には、下方に延びると共に下端が右方に延びるＬ字形状の固定片７５が固着され、この固定片７５の下端水平部分には、左右方向Ｗに延びる長孔７５ａが形成されている。一方、下側第１刃保持体４１ｂの本体部分６０には、つまみ（頭部）７６ａを有する固定用ボルト７６が螺合しており、前記ボルト７６に、前記固定片７５の長孔７５ａが左右方向に移動可能に係合している。すなわち、固定用ボルト７６を緩めることにより、第1裁断ユニット４１に対する第２裁断ユニット４２の軸方向（左右方向）の固定を解除し、第２裁断ユニット４２を第１裁断ユニット４１に対して左右方向Ｗに移動可能とし、前記回転刃５１ａ、５１ｂ、５２ａ、５２ｂの左右方向Ｗの間隔を調整する。調整後、固定用ボルト７６を締め付けることにより、固定片７５を下側第１刃保持体４１ｂの本体部分６０に固定し、これにより、第１裁断ユニット４１に対して第２裁断ユニット４２を、所定の左右方向Ｗの位置に固定する。
【００４９】
図３において、右側の用紙スリッタ２２の下側第２刃保持体４２ｂの下面には、下方に突出するホームポジション検知用の検知板７７が設けられており、これに対し、用紙加工装置の装置本体１内の所定位置には、右側ホームポジションＨＰＲ用の光センサ７８が設けられ、該光センサ７８が上記検知板７７を検知することにより、右側の用紙スリッタ２２が右側ホームポジションＨＰＲに位置したことを検知する。
【００５０】
図５において、上側第１、第２回転刃５１ａ、５２ａの駆動構造を説明すると、上側第１、第２回転刃５１ａ、５２ａの各ボス部５１ｃ、５２ｃは、刃駆動軸２６の外周面に軸方向（左右方向Ｗ）に移動自在に嵌合すると共に、刃駆動軸２６と一体的に回転するように、刃駆動軸２６にキー結合している。すなわち、刃駆動軸２６の外周面には軸方向（左右方向Ｗ）に延びるキー溝が形成され、一方、上側第１、第２回転刃５１ａ、５２ａの各ボス部５１ｃ、５２ｃの内周面には、前記キー溝に嵌合するキーが設けられている。
【００５１】
図７において、上下の第１回転刃５１ａ、５１ｂの右方領域（第２回転刃５２ａ、５２ｂから遠い側の領域）には、上側第１刃保持体４１ａの下端と、下側第１刃保持体４１ｂの右支持プレート６１の上端とに、上下の用紙第１支持ガイド部６８が設けられている。一方、上下の第２回転刃５２ａ、５２ｂの左方領域（第１回転刃５１ａ、５１ｂから遠い側の領域）には、上側第２刃保持体４２ａの下端と、下側第２刃保持体４２ｂの左支持プレート７１の上端とに、上下の用紙第２支持ガイド部６９が設けられている。なお、前記第１支持ガイド部６８、第２支持ガイド部６９は、右支持プレート６１、及び左支持プレート７１の上端のみに設けられていてもよく、また、各支持プレート６１、７１の上端が支持ガイド部をなしていても良い。
【００５２】
図８において、上下の用紙第１支持ガイド部６８は、上下の第１回転刃５１ａ、５１ｂの裁断部（当接部）より用紙搬送方向Ｘ１の下流側部分（前側部分）が、上下方向に狭い間隔で、互いに略平行に、かつ略水平に形成されている。一方、前記裁断部より用紙搬送方向Ｘ１の上流側部分（後側部分）が、用紙を確実に受け入れるために、用紙搬送方向Ｘ１の上流側に向って、上下方向に開くハの字状に形成されている。
【００５３】
前述の一対の排出ローラ３６、３７は、樹脂製の駆動側排出ローラ３６が、下側回転刃５１ｂ、５２ｂの下方に配置されると共に、前記ローラ駆動軸２９にキー結合しており、これにより、ローラ駆動軸２９に対して、一体回転可能かつ、左右方向移動可能となっている。従動側排出ローラ３７は、駆動側排出ローラ３６の前側に配置されると共に、表面がゴムでできており、駆動側排出ローラ３６の前端部に接触すると共に、下側第１保持体４１ｂに設けられた支持軸３９に回転自在に支持されている。
【００５４】
図９において、上下の用紙第２支持ガイド部６９も、用紙第１支持ガイド部６８と同様に、上下の第２回転刃５２ａ、５２ｂの裁断部（当接部）より用紙搬送方向Ｘ１の下流側部分が、上下方向に狭い間隔で、互いに略平行で、かつ略水平に形成され、一方、前記裁断部より用紙搬送方向Ｘ１の上流側部分が、用紙を確実に受け入れるため、用紙搬送方向Ｘ１の上流側に向って、上下方向に開くハの字状に形成されている。
【００５５】
図６において、下側第１刃保持体４１ｂの左支持プレート６３及び下側第２刃保持体４２ｂの右支持プレート７３は、いずれも下側第１、第２回転刃５１ｂ、５２ｂ間に位置しており、両支持プレート６３、７３の上端から前端に亘り、円弧形状の内側第１及び第２排出ガイド８１ｂ、８２ｂがそれぞれ形成されている。すなわち、前記両支持プレート６３、７３には、第１回転刃５１ａ、５１ｂと第２回転刃５２ａ、５２ｂとの間で生じる不要な中間分割用紙を下方に排出するために、内側第１、第２排出ガイド部８１ｂ、８２ｂが設けられている。
【００５６】
図８は、内側第１排出ガイド８１ｂの形状を明確にしており、内側第１排出ガイド８１ｂは、上下の第１回転刃５１ａ、５１ｂの裁断部から用紙搬送方向Ｘ１の下流側に向かって、下方に湾曲するように円弧形状に形成されている。
【００５７】
さらに、上下の第１刃保持体４１ａ、４１ｂを連結する第１連結板４３には、内側第１排出ガイド８１ｂに対し、径方向の外方から隙間を隔てて対向する円弧形状の上側第１排出ガイド８１ａが形成されている。すなわち、互いに対向する外側第１排出ガイド８１ａと内側第１排出ガイド８１ｂとにより、第１回転刃５１ａ、５１ｂから排出される中間分割用紙を下方にガイドする。
【００５８】
図９は、第２排出ガイド８２ｂの形状を明確にしており、上下の第２回転刃５２ａ、５２ｂの裁断部から用紙搬送方向Ｘ１の下流側に向かって、下方に湾曲するように円弧形状に形成されている。
【００５９】
さらに、上下の第２刃保持体４２ａ、４２ｂを連結する第２連結板４４には、内側第２排出ガイド８２ｂに対し、径方向の外方から隙間を隔てて対向する円弧形状の外側第２排出ガイド８２ａが形成されている。すなわち、互いに対向する外側第２排出ガイド８２ａと、内側第２排出ガイド８２ｂとにより、前述の第１排出ガイド８１ａ、８１ｂと協同して、第１回転刃５１ａ、５１ｂ及び第２回転刃５２ａ、５２ｂから排出される中間分割用紙を下方にガイドする。
【００６０】
図４において、右側の用紙スリッタ２２の下側の第１、第２刃保持体４１ｂ、４２ｂには、右側ホームポジションＨＰＲ（図３）において、下側第１、第２回転刃５１ｂ、５２ｂを、上側第１、第２回転刃５１ａ、５２ａに対し、それぞれ軸方向に引き離すための裁断解除機構８３が設けられている。
【００６１】
裁断解除機構８３は、下側第１刃保持体４１ｂの本体部分６０に固着された支持ブラケット８４（透視可能に示す）と、左右方向Ｗに延びると共に前記支持ブラケット８４に回転自在に支持されたカム軸８５と、カム軸８５に一体に設けられたカム８６と、下側第１、第２刃保持体４１ｂ、４２ｂの各支持プレート６１、７１に設けられたカムフォロワー８７と、カム軸８５の右端部に固着されたボルト当接部８８と、図３の支持枠体２１の右側壁板２１ａに設けられた押し込みボルト８９と、から構成されている。
【００６２】
図４において、カム８６はカム軸８５に対して偏心しており、ボルト当接部８８は、右方に向かって上方に傾斜する傾斜面８８ａを有し、この傾斜面８８ａは、前記押し込みボルト８９に左方から対向している。カムフォロワー８７は、下側第１、第２刃保持部４１ｂ、４２ｂの各支持プレート６１、７１に設けられた垂直な支軸９０に、支軸回り回動自在に支持されており、上方から見てＬ字状に形成されている。また、各カムフォロワー８７は、下方に突出する当接部８７ａを一体に有しており、各当接部８７ａはカム８６の前端に当接している。各カムフォロワー８７の前端部は、下側第１回転刃５１ｂの左端面及び下側第２回転刃５２ｂの右端面に、それぞれ当接可能に対向している。前記押し込みボルト８９は、支持枠体２１の右側壁板２１ａ（図３）から左方に突出している。
【００６３】
すなわち、右側用紙スリッタ２２が右側ホームポジションＨＰＲ（図３）まで移動すると、ボルト当接部８８の傾斜面８８ａが右側の押し込みボルト８９の先端に当接し、ボルト当接部８８は押し上げられる。これにより、カム軸８５が矢印Ｂ１方向に回転し、カム８６が、両カムフォロワー８７の当接部８７ａを前方に押し込み、両カムフォロアー８７を支軸９０回りにＢ２方向に回動させる。各カムフォロワー８７のＢ２方向の回動により、下側第１、第２回転刃５１ｂ、５２ｂは、それぞれ上側第１、第２回転刃５１ａ、５２ａから左右方向Ｗに引き離される。これにより、上側第１回転刃５１ａと下側第１回転刃５１ｂとの当接状態、及び上側第２回転刃５２ａと下側第２回転刃５２ｂとの当接状態が、解除される。この構成によると、用紙スリッタ２２を長期間保管していても、回転刃同士が癒着し、あるいは当接部で劣化するのを防止できる。
【００６４】
図１５において、右側の用紙スリッタ２２の右側ホームポジションＨＰＲは、搬送経路内の右端に位置し、用紙の右側端縁から外れており、一方、左側の用紙スリッタ２２の左側ホームポジションＨＰＬは、搬送経路内の左端に位置して、用紙の左側端縁から外れている。また、一方の用紙スリッタ２２をホームポジションに移動し、他方の用紙スリッタ２２が用紙を裁断する場合、ホームポジションに位置する一方の用紙スリッタ２２の上側回転刃５１ａ、５２ａが刃駆動軸２６の回転により回転するが、上側回転刃５１ａ、５２ａと下側回転刃５１ｂ、５２ｂとの当接が解除されており、刃同士の摩擦がないので、各回転刃５１ａ、５２ａ、５１ｂ、５２ｂは劣化しない。
【００６５】
図１３は、１枚の用紙Ｎに対する裁断パターンの一例を示しており、左右４枚ずつの合計８枚の製品Ｇが製作される。具体的には、用紙搬送方向Ｘ１に延びる４本のスリット線Ｅと、左右方向（用紙搬送幅方向）Ｗに延びる５本の裁断線Ｃにより、８枚の製品用分割用紙Ｇを製作する。用紙の前後端及び左右端には、それぞれ不要なマージン用分割用紙Ｇ１が生じ、左右幅中央部には、１枚の不要な中間分割用紙Ｇ２が生じる。
【００６６】
図１４は、裁断パターンの別の例を示しており、左右及び中間の３領域で、それぞれ４枚ずつ、合計１２枚の製品Ｇが製作される。具体的には、用紙搬送方向Ｘ１に延びる６本のスリット線Ｅと、左右方向（用紙搬送幅方向）Ｗに延びる５本の裁断線Ｃにより、１２枚の製品用分割用紙Ｇを製作する。用紙Ｎの前後端及び左右端には、それぞれ不要なマージン用分割用紙Ｇ１が生じ、左右幅中間部の２つの領域には、それぞれ不要な中間分割用紙Ｇ２が生じる。
【００６７】
図１５は、前記図１３の裁断パターンに基づく裁断作業を示しており、搬送方向Ｘ１の上流側の、たとえばスリット加工ユニット１１により、左右端部のマージン用分割用紙Ｇ１を切り落とし、左右一対の用紙スリッタ２２を有するスリット加工ユニット１４により、左右幅の中央部において、不要な中間分割用紙（いわゆるドブ）Ｇ２を切除している。図１５の裁断作業では、左側の用紙スリッタ２２は、左側ホームポジションＨＰＬに退いており、右側の用紙スリッタ２２が、用紙Ｎの左右幅の中央部に位置している。
【００６８】
図１６は、図１４の裁断パターンに基づく裁断作業を示しており、用紙搬送方向Ｘ１の上流側の、たとえばスリット加工ユニット１１により、左右端部のマージン用分割用紙Ｇ１を切り落とし、左右一対の用紙スリッタ２２を有するスリット加工ユニット１４により、左右幅の中間部の２箇所において、不要な２枚の中間分割用紙Ｇ２を切除している。図１６の裁断作業では、不要な中間分割用紙Ｇ２が２箇所で排出されるので、左右の用紙スリッタ２２は、左右方向Ｗの中間部において、互いに所定間隔をおいて配置されている。
【００６９】
［用紙スリッタ２２の左右方向Ｗの位置調整及び回転刃間の間隔調整］
図１５において、右側用紙スリッタ２２は、第１回転刃５１ａ、５１ｂ及び前記第２回転刃５２ａ、５２ｂが用紙Ｎに当接する用紙搬送幅方向Ｗの使用領域と、右側ホームポジションＨＰＲ（右側退避位置）と、に亘って用紙搬送幅方向Ｗに移動可能となっている。また、左側用紙スリッタ２２は、第１回転刃５１ａ、５１ｂ及び前記第２回転刃５２ａ、５２ｂが用紙Ｎに当接する用紙搬送幅方向Ｗの使用領域と、左側ホームポジションＨＰＬ（左側退避位置）と、に亘って用紙搬送幅方向Ｗに移動可能となっている。
【００７０】
図１３の裁断パターンで裁断する場合には、前述のように、図１５において、左側用紙スリッタ２２を左側ホームポジションＨＰＬに退避させ、右側用紙スリッタ２２を左右幅中央部に位置設定する。右側用紙スリッタ２２を移動する際には、図５において、右側用紙スリッタ２２用の親ねじ２８のギヤ３０を回転することにより、右側用紙スリッタ２２を、左右方向Ｗに移動し、所定の位置に設定する。これにより、まず、第１裁断ユニット４１に支持された第１回転刃５１ａ、５１ｂの左右方向Ｗの位置が決定される。この位置は、右側ホームポジションＨＰＲにおける第１回転刃５１ａ、５１ｂの左右方向Ｗの位置を基準として、設定される。
【００７１】
次に、第２裁断ユニット固定用のボルト７６を緩め、アジャストボルト５６のつまみ５６ａをつまんで、アジャストボルト５６を回転することにより、第２裁断ユニット４２を第１裁断ユニット４１に対して相対的に左右方向Ｗに移動し、第１回転刃５１ａ、５１ｂと第２回転刃５２ａ、５２ｂとの左右方向Ｗの間隔、すなわち、不要な中間分割用紙Ｇ２の左右幅を設定する。設定後、固定用のボルト７６を締め付けることにより、第１裁断ユニット４１に対する第２裁断ユニット４２の左右方向Ｗの位置を固定する。
【００７２】
図６は、図５の状態よりも回転刃５１ａ、５１ｂ、５２ａ、５２ｂ間の左右方向Ｗの間隔を広げた状態を示している。間隔調整機構５５により調整可能な左右方向Ｗの調整ストロークは、前記固定片７５の長孔７５ａの長さで規定されており、たとえば、数センチメートル程度である。
【００７３】
［用紙スリッタ２２による裁断作業］
図８及び図９において、用紙加工作業中、スリット加工ユニット１４の用紙スリッタ２２の入口部分に至った用紙Ｎは、ハの状に開いた用紙第１、第２支持ガイド部６８、６９により、上下の回転刃５１ａ、５１ｂ、５２ａ、５２ｂの当接部（裁断部）にガイドされ、図１５のように、２箇所のスリット線Ｅに沿って、用紙Ｎを搬送方向Ｘ１に裁断する。
【００７４】
裁断されて製品となる分割用紙Ｇは、図８及び図９において、左右の用紙第１、第２支持ガイド部６８、６９の用紙搬送下流側部分(平行部分)により、略水平姿勢にガイドされて前方に排出される。これに対し、左右の回転刃５１ａ、５１ｂ、５２ａ、５２ｂ間で生じた不要な中間分割用紙Ｇ２は、第１、第２排出ガイド８１ａ、８２ａ、８１ｂ、８２ｂにより、下方にガイドされ、排出される。
【００７５】
「制御関係の構成」
図５において、上側第１刃保持体４１ａには、上側第１回転刃５１aに対する上側第２回転刃５２ａの左右方向Ｗの位置を検出する位置検出器１００を備えており、検出した上側第２回転刃５２ａの位置情報を、図２の制御部１７に入力することにより、上側第１回転刃５１ａと上側第２回転刃５２ａとの左右方向Ｗの間隔を検出するようになっている。検出した前記間隔の数値は、たとえば図１の操作パネル７、又は用紙スリッタ２２に設けた表示部に表示する。位置検出器１００としては、レーザーやＬＥＤ光を利用する測距センサのほか、リニアスケール、ポテンショメータなどを用いることができ、位置検出器の特性に応じて、適宜の場所に設置すれば良く、設置する場所は前記上側刃保持体４１ａに限定されるものではない。
【００７６】
なお、前記位置センサ１００を利用する他に、操作パネル７に前記回転刃間の間隔を入力する入力部を備え、入力した値を操作パネル７に表示する構成とすることもできる。
【００７７】
さらに、図３のように、一つのスリット加工ユニット１４に、２個の用紙スリッタ２２を備えている場合に、両用紙スリッタ２２の左右方向の最小間隔、たとえば、両用紙スリッタ２２に設けられたボルトの頭部、あるいは固定片７５のように、他方の用紙スリッタ側に最も突出している部材の端縁間の幅を、最小限界間隔に設定し、常に、前記最小限界間隔よりも両用紙スリッタ２２が離れているように、各用紙スリッタ２２の左右方向の移動を調節することができる。前記最小限界間隔とは、たとえば２乃至３ｍｍ程度である。
【００７８】
［実施の形態による効果］
（１）用紙スリッタ２２は、第１回転刃５１ａ、５１ｂと、該第１回転刃５１ａ、５１ｂに対して相対的に左右方向（用紙反訴得幅方向）Ｗに位置調整できる第２回転刃５１ａ、５２ｂと、を備えているので、用紙Ｎを、不要な中間分割用紙Ｇ２と、その両側の製品用分割用紙Ｇとに分割する場合に、第２回転刃５２ａ、５２ｂの位置調節だけで、中間分割用紙Ｇ２の左右方向（用紙搬送幅方向）Ｗの寸法を簡単かつ精度良く設定できる。しかも、中間分割用紙Ｇ２の幅を変更する場合に、寸法の異なる用紙スリッタに交換する必要がないので、部品点数が削減できると共に、交換部品の保管スペースが必要なく、交換用部品の維持管理も不要となる。また、中間分割用紙の幅を変更せずに、用紙の裁断位置のみが幅方向に異なる場合に、用紙スリッタ２２を用紙搬送幅方向に移動させるだけでよく、第１回転刃５１ａ、５１ｂと第２回転刃５２ａ、５２ｂとの間隔にずれが生じない。
【００７９】
（２）第２裁断ユニット４２は、中間分割用紙成形領域と反対側に、第２回転刃２ａ、５２ｂと共に左右方向に移動する用紙第２支持ガイド部６９を備えているので、第２回転刃５２ａ、５２ｂを第１回転刃５１ａ、５１ｂに対して左右方向Ｗに移動調整しても、第２回転刃５２ａ、５２ｂによって分割されて製品用分割用紙Ｇは、用紙第２支持ガイド部６９により、常に、円滑に、次工程に送り出すことができる。
【００８０】
（３）第１回転刃５１ａ、５１ｂと第２回転刃５２ａ、５２ｂとの間に、第１排出ガイド８１ａ、８１ｂを備えているので、第１回転刃５１ａ、５１ｂと第２回転刃５２ａ、５２ｂの間で生じる不要な中間分割用紙Ｇ２は、裁断直後に、第１排出ガイド８１ａ、８１ｂにより、速やかに下方に排出される。
【００８１】
（４）第２裁断ユニット４２に第２排出ガイド８２ａ、８２ｂを設けているので、第２排出ガイド８２ａ、８２ｂは、第１排出ガイド８１ａ、８１ｂと協同して、確実に中間分割用紙Ｇ２を下方に排出することができる。
【００８２】
（５）操作パネル７又は用紙スリッタ２２に設けた表示部に、第１回転刃５１ａ、５１ｂと、第２回転刃５２ａ、５２ｂとの左右方向Ｗの間隔を表示できるようにすることにより、作業者は、中間分割用紙Ｇ２の用紙搬送幅方向の設定寸法を、表示部により容易に確認することができる。
【００８３】
（６）右側用紙スリッタ２２の第１回転刃５１ａ、５１ｂを、第２回転刃５２ａ、５２ｂよりも、右側の退避位置（右側ホームポジションＨＰＲ）に近い側に配置しているので、右側ホームポジションＨＰＲの第１回転刃５１ａ、５１ｂの位置を基準として、用紙スリッタ２２による裁断位置が設定され、かつ、中間分割用紙Ｇ２の左右幅は、固定側の第１回転刃５１ａ、５１ｂが基準となり、正確に中間分割用紙Ｇ２の幅及び裁断位置を設定できる。勿論、左側用紙スリッタ２２についても、左右が逆になるが、右側用紙スリッタ２２と同様の効果を奏する。
【００８４】
（７）一つのスリット加工ユニット１４に、たとえば２個の用紙スリッタ２２を備えている構造において、両用紙スリッタ２２の左右方向の最小限界間隔（２ｍｍ乃至３ｍｍ）を設定し、この最小限界間隔より両用紙スリッタ２２が互いに接近することがないように制御するので、用紙スリッタ２２の左右方向の位置調整中に、両用紙スリッタ２２が衝突するのを防ぐことができる。
【００８５】
（８）右側用紙スリッタ２２を、右側ホームポジションＨＰＲ（右側退避位置）に移動した時に、裁断解除機構８３により、自動的に、上側の回転刃５１ａ、５２ａに対し、下側の各回転刃５１ｂ、５２ｂを左右方向に離間させるので、長期間、用紙スリッタを使用しない場合でも、回転刃５１ａ、５１ｂ、５２ａ、５２ｂの劣化を防ぐことができる。左側用紙スリッタ２２についても、同様の効果を奏する。
【００８６】
［第１の実施の形態の変形例］
（１）図１０は、用紙スリッタ２２の第１の実施の形態の変形例であり、下側第１刃保持体４１ｂの本体部分６０も、下側の移動ナット４８を備え、この下側の移動ナット４８が下側に配置された親ねじ２８ｂに螺合している。この下側の親ねじ２８ｂは、上側の親ねじ２８ａと連動して、同期回転し、下側第１刃保持体４１ｂを上側第１刃保持体４１ａと同一速度で、左右方向に移動するようになっている。
【００８７】
さらに、第２裁断ユニット４２の下側第２刃保持体４２ｂは、支持枠体２１（図３）の左右方向Ｗの略全幅に亘るガイド軸９３に左右方向移動自在に嵌合しており、間隔調整機構５５のアジャストボルト５６を上側第２刃保持体４２ａのめねじ孔５６ｂから外すことにより、第２裁断ユニット４２のみを、用紙の側端縁から用紙搬送幅方向に外れた退避位置に移動できるようになっている。これによると、第１回転刃５１ａ、５１ｂのみを利用して、通常のスリッタのように、単一のスリット線を形成することができる。
【００８８】
（２）図１１及び図１２は、外側第２排出ガイド８２ａの変形例であり、外側第２排出ガイド８２ａは、上下の部材８２ａ１、８２ａ２に分割されており、上側部材８２ａ１は、支軸９５に上下方向揺動可能に支持されている。図示しない操作レバー等の第１位置切換機構により、上側部材８２ａ１を、用紙に当接しない上方の非ガイド位置（図１２の位置）と、用紙に当接して下方にガイドする下方のガイド位置（図１１の位置）との間で、切換可能となっている。
【００８９】
不要な中間分割用紙Ｇ２が生じる場合には、図１１のように、上側部材８２ａ１を下方のガイド位置まで回動して、不要な中間分割用紙Ｇ２を下方にガイドする。一方、不要な中間分割用紙Ｇ２が生じない場合には、図１２のように、上側部材８２ａ１を上方の非ガイド位置に回動して、下方へのガイド作用を無効とする。
【００９０】
図示しないが、第１裁断ユニット４１に設けられた外側第１排出ガイド８１ａも、前記外側第２排出ガイド８２ａと同様に、上下に分割し、操作レバーのような第２位置切換機構により、第第２上側部材が、上方の非ガイド位置と、下方のガイド位置との間で回動するように構成することができる。
【００９１】
［第２の実施の形態］
図１７及び図１８は、本発明の第２の実施の形態であり、用紙スリッタ２２は、上下一対の第１回転刃５１ａ、５１ｂと、上下一対の第２回転刃５２ａ、５２ｂと、を備えているが、前記第１の実施の形態とは、刃保持体の構造が異なっている。なお、第１の実施の形態と同様な構成の部品には、同じ符号を付してある。
【００９２】
図１７において、用紙スリッタ２２は、上側刃保持体２４１ａと、下側刃保持体２４１ｂとを備え、上下の刃保持体２４１ａ、２４１ｂはそれぞれ移動ナット２４８ａ、２４８ｂを備え、各移動ナット２４８ａ、２４８ｂは、それぞれ上下の移動用親ねじ２８ａ、２８ｂに螺合している。上下の親ねじ２８ａ、２８ｂは、ベルト等の適宜の連動機構により、同期回転するようになっている。
【００９３】
上側刃保持体２４１ａは、下開きのコの字状に形成され、左右の側壁間に刃駆動軸２２６が回転自在に支持されている。刃駆動軸２２６は、適宜の連動機構を介して駆動モータＭに連結されている。上側刃保持体２４１ａの一方（図の右方）の側壁には、上側第１回転刃５１ａのボス部５１ｃが、回転自在、かつ、左右方向移動不能に支持されている。上側第１回転刃５１ａのボス部５１ｃは、刃駆動軸２２６にキー結合することにより、刃駆動軸２２６と一体回転可能で、かつ、刃駆動軸２２６に対して、左右方向Ｗに移動可能に嵌合している。
【００９４】
上側第２回転刃５２ａのボス部５２ｄは、上側刃保持体２４１ａの左右の側壁間に配置された可動保持体２４２に、回転自在、かつ、可動保持体２４２に対して左右方向移動不能に支持されている。更に、上側第２回転刃５２ａは、刃駆動軸２２６にキー結合すことにより、刃駆動軸２２６と一体回転可能で、刃駆動軸１２６に対して左右方向Ｗに移動可能に嵌合している。
【００９５】
前記可動保持体２４２は、アジャストボルト５６を有する間隔調整機構５５を介して上刃保持体２４１ａの他方（左方）の側壁に連結されている。アジャストボルト５６は、上刃保持体２４１ａに他方の側壁に、回転自在、かつ、軸方向移動不能に支持され、アジャストボルト５６の右端部は、可動保持体２４２のめねじ孔５６ｂに螺合している。すなわち、アジャストボルト５６のつまみ５６ａを把持して回転することにより、可動保持体２４２及び上側第２回転刃５２ａを、上側第１回転刃５１ａに対して、相対的に左右方向Ｗに移動できるようになっている。これにより、上側第１回転刃５１ａと上側第２回転刃５２ａとの左右方向の間隔を調整する。
【００９６】
下側刃保持体２４１ｂは、上開きコの字状に形成されており、左右の側壁に架設された支軸２４５に、下側の第１、第２回転刃５１ｂ、５２ｂが、回転自在に嵌合している。下側第１回転刃５１ｂは第１コイルばね６４により下側第２回転刃５２ｂ側に付勢されており、これにより、下側第１回転刃５１ｂの上端部は、上側の第１回転刃５１ａの下端部に一定圧力で当接している。下側の第２回転刃５２ｂは第２コイルばね７４により下側第１回転刃５１ｂ側に付勢されており、これにより、下側第２回転刃５２ｂの上端部は、上側の第２回転刃５２ａの下端部に一定圧力で当接している。
【００９７】
用紙スリッタ２２全体の左右方向Ｗの位置を調整する場合には、上下の親ねじ２８ａ、２８ｂを同期回転させることにより、上側刃保持体２４１ａ及び下側保持体２４１ｂを、一体的に左右方向Ｗに移動して、所望の左右方向Ｗの位置に設定する。
【００９８】
第１回転刃５１ａ、５１ｂと第２回転刃５２ａ、５２ｂの左右方向Ｗの間隔を調整する時には、アジャストボルト５６を回転することにより、可動保持体２４２及び上側第２回転刃５２ａを、一体的に左右方向Ｗに移動調整する。下側第２回転刃５２ｂは、上端部が上側第２回転刃５２ａに押し付けられているので、上側第２回転刃５２ａと当接した状態を保ちつつ、上側第２回転刃５２ａの移動に伴って、左右方向Ｗに移動する。なお、下側第２回転刃５２ｂの左右方向の移動可能範囲は、第２コイルばね５９の圧縮ストロークにより規定される。また、中間分割用紙Ｇ２を下方に排出するための排出ガイド（図示せず）を、可動保持体２４２に固定してもよく、また、図示しない支軸を設けて回動可能に支持してもよい。
【００９９】
［第３の実施の形態］
図１９乃至図２１は、本発明の第３の実施の形態であり、図１９において、用紙スリッタ２２の下半部には、上側第１、第２回転刃５１ａ、５２ａの両方に下側から当接する円筒状の共通回転刃受け３５１ｂが配置される。なお、この第３の実施の形態の裁断方式は、押し切り型となる。なお、第１の実施の形態又は第２の実施形態と同様な構成の部品には、同じ符号を付してある。
【０１００】
共通回転刃受け３５１ｂは、上開きコの字状の共通の下側刃受保持体３１３に回転自在に支持されており、刃受保持体３１３の下面には、下側移動ナット３４８ｂが設けられ、スリッタ移動用の下側親ねじ２８ｂに螺合している。
【０１０１】
上側の第１、第２回転刃５１ａ、５２ａの支持構造を説明すると、共通支持体３２０が、ガイドロッド（図示せず）に左右方向移動自在に支持されており、共通支持体３２０の上面には上側移動ナット３４８ａが設けられ、この上側移動ナット３４８は、スリッタ移動用の上側親ねじ２８ａに螺合しており、親ねじ２８ａ、２８ｂが同期回転することにより、共通支持体３２０と刃保持体３１３とが同速度で左右方向に移動する。
【０１０２】
共通支持体３２０は、左右方向Ｗの一方側に固定刃保持体３１１が固着され、他方側に可動刃保持体３１２が配置されており、該可動刃保持体３１２は、アジャストボルト５６を有する間隔調整機構５５により、共通上保持体３２０に対して左右方向Ｗに近接離間可能となっている。アジャストボルト５６は、可動刃保持体３１２に、回転自在、かつ、軸方向移動不能に支持されており、アジャストボルト５６の先端部が、共通支持体３２０のめねじ孔５６ｂに螺合している。アジャストボルト５６を回転することにより、可動刃保持体３１２は、上側第２回転刃５２ａと共に、共通支持体３２０及び固定刃保持体３１１に対し、左右方向Ｗに近接離間するように移動する。
【０１０３】
第３の実施の形態では、上側の回転刃５１ａ、５２ａを、下側の共通回転刃受け３５１ｂに当接する当接位置（図１９の状態）と、上側の回転刃５１ａ、５２ａを、下側の共通回転刃受け３５１ｂから上方に離間する離間位置との間で、変位可能とする接離機構を備えている。
【０１０４】
接離機構の説明をする。図２１において、固定刃保持体３１１は、共通支持体３２０に対し、揺動支軸３２１を介して上下方向に揺動自在に支持されており、コイルばね３２８により下方に付勢されることにより、上側第１回転刃５１ａを共通回転刃受け３５１ｂの上端部に押し付けている。すなわち、コイルばね３２８により第１回転刃５１ａを当接位置に付勢している。
【０１０５】
固定保持体３１１をコイルばね３２８に抗して上方に揺動することにより、上側第１回転刃５１ａは、前記当接位置から上昇し、離間位置に至る。この離間位置の状態で、上側第１回転刃５１ａを左右方向に移動する。
【０１０６】
図１９の可動刃保持体３１２も上記固定刃保持体３１１と同様の接離機構を備えており、可動刃保持体３１２は上下方向揺動自在に構成されている。可動刃保持体３１２を上方に揺動することにより、上側第２回転刃５２ａを、共通回転刃受け３５１ｂの上端部に当接する当接位置から上方の離間位置まで離間させることができる。この離間位置の状態で、上側第２回転刃５２ａを左右方向に移動する。
【０１０７】
固定刃保持体３１１及び可動刃保持体３１２を揺動するために、それぞれカム機構が備えられている。このカム機構は、固定刃保持体３１１及び可動刃保持体３１２の各カムフォロワー部３１１ａ、３１２ａに当接するカム３２５、３２６を備えている。なお、カム３２５、３２６は、駆動軸２５１にキー結合することにより、駆動軸２５１と一体回転可能、かつ、共通支持体３２０と一体に左右方向に移動可能に、駆動軸２５１に嵌合している。
【０１０８】
図２１において、固定刃保持体用のカム３２５は、固定刃保持体３１１のカムフォロワー３１１ａに後側から当接しており、駆動軸２５１の回転によりカム３２５が回転して、カムフォロワー３１１ａを前方に押すことにより、コイルばね３２８に抗して固定刃保持体３１１を支軸３２１回りに回動させ、第１回転刃５１ａを共通回転刃受け３５１ｂから上方の離間位置まで離す。
【０１０９】
図示しないが、図１９の可動刃保持体３１２も、コイルばねにより共通回転刃受け３５１ｂの上端部に押し付けられており、可動刃保持体用のカム３２６を回転して可動刃保持体３１２をアジャストボルト５６回りに回動することにより、第２回転刃５２ａを共通回転刃受け３５１ｂから上方に離すことができるようになっている。
【０１１０】
図１９において、第１回転刃５１ａと第２回転刃５２ａの左右方向Ｗの間隔を調整する場合には、まず、可動刃保持体３１２を上方に揺動することにより、第２回転刃５２ａを共通回転刃受け３５１ｂの上端部に当接する当接位置から上方の離間位置まで離し、それから、アジャストボルト５６を回転して、可動刃保持体３１２及び上側第２回転刃５２ａを左右方向に移動調整する。
【０１１１】
なお、第３の実施の形態において、前記図１１及び図１２で説明したように、外側排出ガイド８１ａ、８２ａを、非ガイド位置とガイド位置との間で変位可能な構成とし、第１、第２位置切換機構により、切り換え可能にすることができる。この場合、第２位置切換機構と、前述の接離機構とを連動させることができる。なお、接離機構は、カム３２５とカム３２６の駆動軸２５１に対する取り付け角度に位相差を有するように、カム３２５とカム３２６とを設けることで、上側第２回転刃５２ａのみを離間位置まで離すことが可能である。すなわち、接離機構を利用して、上側の第２回転刃５２ａを上方の離間位置に変位させた場合には、それと連動して、第１、第２位置切換機構により、外側第１、第２排出ガイド８１ａ、８２ａを、ガイド位置から非ガイド位置に切り換える。これにより、第１回転刃５１ａ、５１ｂによる一つのスリット線による従来と同様な裁断が行えると共に、裁断後の分割用紙を、製品として次工程に送ることができる。
【０１１２】
図２０は、図１９の状態から、上側第１、第２回転刃５１ａ、５２ａの左右方向Ｗの間隔を広げた状態を示している。
【０１１３】
［第３の実施の形態の変形例］
図２２及び図２３は第３の実施の形態の変形例であり、下側の共通回転刃受３５１ｃの構造が、前記図１９の共通回転刃受３５１ｂと異なっている。他の構造は第３の実施の形態と同様であり、同じ部品には同じ符号を付してある。
【０１１４】
図２２において、共通回転刃受３５１ｃの円筒状の外周面には、左右方向に所定の間隔をおいて複数の環状溝３５５が設けられており、各環状溝３５５の左右方向の側面に、上側回転刃５１ａ、５２ａの下端部が左右方向の側方から当接している。
【０１１５】
この第３の実施の形態の変形例は、いわゆる押し切り方式ではなく、前記第１及び第２の実施の形態と同様に、上側回転刃５１ａ、５２ａと溝３５５の側面との擦り合わせにより、用紙を裁断する。この場合、上側回転刃５１ａ、５２ａの刃先が共通回転刃受け３５１ｃの円筒状外周面には当接せず、上側回転刃５１ａ、５２ａの摩耗が低減される。
【０１１６】
上側第１回転刃５１ａと上側第２回転刃５２ａとの左右方向の間隔を広げる場合には、図２３のように、上側第２回転刃５２ａを、左方に移動して、左方の環状溝３５５に当接させる。この場合、前記図２１で説明した接離機構を利用して、上側第２回転刃５２ａは昇降させられる。
【０１１７】
［第４の実施の形態］
図２４及び図２５は、本発明の第４の実施の形態であり、第１回転刃５１ａ、５１ｂと、第２回転刃５２ａ、５２ｂとを、用紙搬送方向Ｘ１にずらして配置しており、その他の構造は、第２の実施の形態（図１７及び図１８）と同様であり、同じ部品には同じ符号を付してある。前述の刃駆動軸２２６は、前後の刃駆動軸２２６ａ、２２６ｂに分かれている。勿論、下側第１回転刃５１ｂの支持軸２４５ａと、下側第２回転刃５２ｂの支持軸２４５ｂも、用紙搬送方向にずれて配置されている。
【０１１８】
該第４の実施の形態によると、上下の第１回転刃５１ａ、５１ｂによる裁断作業と、上下の第２回転刃５２ａ、５２ｂによる裁断作業とが、用紙搬送方向Ｘ１に時間的及び距離的にずれた状態で実施される。これにより、第１回転刃５１ａ、５１ｂと第２回転刃５２ａ、５２ｂが、左右方向における同一箇所に同時に作用することがなく、搬送抵抗を低減して、用紙ジャムを防止することができる。
【０１１９】
［排出ガイドの変形例］
図２６及び図２７は、図１１及び図１２で説明した可動式の外側第２排出ガイド８２ａの変形例である。該変形例では、上側部材８２ａ１は、上端部にくの字状の長孔４００を一対備えており、該長孔４００には、上側第２刃保持体４２ａに設けた前後一対のピン４０１が係合している。すなわち、上側部材８２ａ１は、第２位置切換機構により作動し、ピン４０１にガイドされることにより、上方の非ガイド位置と、下方のガイド位置と、の間で移動可能となっている。しかも、長孔４００がくの字状に形成されていることにより、上方の非ガイド位置でも、上側部材８２ａ１が上側第２回転刃５２ａに当接することはない。なお、図示しないが、外側第１排出ガイド８１ａも同様の構造となっている。
【０１２０】
［排出ガイドの別の変形例］
図２８は、上下の第２回転刃５２ａ、５２ｂを引き離すことができる裁断解除機構８３を備えた用紙スリッタ２２において、裁断解除機構８３の動作と、外側と内側の第２排出ガイド８２ａ、８２ｂの動作を連動させている。
【０１２１】
裁断解除機構８３は、前記図４と同様の構造であり、カム軸８５と、カム８６と、カムフォロワー８７と、カム軸８５のボルト当接部８８と、押し込みボルト８９と、を備えている。ボルト当接部８８の傾斜面８８ａが押し込みボルト８９の先端に当接することにより、ボルト当接部８８は押し上げられ、カム軸８５及びカム８５が矢印Ｂ１方向に回転し、カムフォロワー８７の当接部８７ａを前方に押し込み、カムフォロアー８７を支軸９０回りにＢ２方向に回動させる。これにより、下側第２回転刃５２ｂは、上側第２回転刃５２ａから左方に引き離される。
【０１２２】
外側第２排出ガイド８２ａと内側第２排出ガイド８２ｂとは、下端部同士が、平面視でコの字状の連結部３７０により一体的に連結されており、内側第２排出ガイド８２ｂの後下端部は、回動軸３７１を介して、回動軸芯回り回動自在となっている。前記内側第２排出ガイド８２ｂは、適宜の弾性部材により後方に付勢され、前記内側第２排出ガイド８２ｂの後端縁が前記カム８６に前方から当接している。すなわち、カム８６が矢印Ｂ１方向に回転すると、下側第２回転刃５２ｂを上側第２回転刃５２ａから離間させると当時に、内側第２排出ガイド８２ｂを前方に押し、回動軸３７１回りに前方に回動させることにより、外側第２排出ガイド８２ａの上端部を、上下の第２回転刃５２ａ、５２ｂの当接部よりも下方に退かせることができる。これにより、上下の第１回転刃（図示せず）により裁断されつつ上下の第２回転刃５２ａ、５２ｂ間を通過する分割用紙は、略水平状態を維持して、前方に搬送される。
【符号の説明】
【０１２３】
１４  スリット加工ユニット
２２  用紙スリッタ
２８、４８  親ねじ、移動ナット（移動機構）
２８ａ、２８ｂ、２４８ａ、２４８ｂ  親ねじ、移動ナット（移動機構）
４１  第１裁断ユニット
４１ａ  上側第１刃保持体
４１ｂ  下側第１刃保持体
４２  第２裁断ユニット
４２ａ  上側第２刃保持体
４２ｂ  下側第２刃保持体
５１ａ  上側第１回転刃
５１ｂ  下側第１回転刃
５２ａ  上側第２回転刃
５２ｂ  下側第２回転刃
５５  間隔調整機構
５６  アジャストボルト（間隔調整機構の構成部品）
６８  第１支持ガイド部
６９  第２支持ガイド部
８１ａ  外側第１排出ガイド
８１ｂ  内側第１排出ガイド
８２ａ  外側第２排出ガイド
８１ｂ  内側第２排出ガイド
８３  裁断解除機構
２４１ａ  上側刃保持体
２４１ｂ  下側刃保持体
３２５、３２６  カム（接離機構の構成部品）
３４８ａ、３４８ｂ  移動ナット
【図１】
2015120213.tif 000003
【図２】
2015120213.tif 000004
【図３】
2015120213.tif 000005
【図４】
2015120213.tif 000006
【図５】
2015120213.tif 000007
【図６】
2015120213.tif 000008
【図７】
2015120213.tif 000009
【図８】
2015120213.tif 000010
【図９】
2015120213.tif 000011
【図１０】
2015120213.tif 000012
【図１１】
2015120213.tif 000013
【図１２】
2015120213.tif 000014
【図１３】
2015120213.tif 000015
【図１４】
2015120213.tif 000016
【図１５】
2015120213.tif 000017
【図１６】
2015120213.tif 000018
【図１７】
2015120213.tif 000019
【図１８】
2015120213.tif 000020
【図１９】
2015120213.tif 000021
【図２０】
2015120213.tif 000022
【図２１】
2015120213.tif 000023
【図２２】
2015120213.tif 000024
【図２３】
2015120213.tif 000025
【図２４】
2015120213.tif 000026
【図２５】
2015120213.tif 000027
【図２６】
2015120213.tif 000028
【図２７】
2015120213.tif 000029
【図２８】
2015120213.tif 000030